(57)【要約】【課題】常時電源オン回路領域の電源が先に遮断されても電源オフ回路領域に悪影響を及ぼすことを防止する半導体集積回路を提供する。【解決手段】第１電源から電力供給される回路領域である電源オンドメインと、第２電源から電力供給される回路領域である電源オフドメインとを同一チップ上に備え、電源オンドメインは、第１電源がオンかつ第２電源がオフであるときに電源オフドメインと電源オンドメインとの間で入出力される信号を遮断する第１信号遮断部と、第２信号遮断部の遮断を有効または無効にする旨を示す第１制御信号を出力する遮断制御部とを備え、電源オフドメインは、遮断制御部からの遮断を有効にする旨を示す第１制御信号に基づき、電源オンドメインと電源オフドメインとの間で入力される信号を遮断する第２信号遮断部を備え、前記遮断制御部は、第１電源からの電源供給の停止を検出したとき、遮断を有効にする旨を示す第１制御信号を出力する。【選択図】図１
2010283544.tif 000002
【特許請求の範囲】
【請求項１】
第１の電源から電力供給を受ける回路領域である電源オンドメインと、前記第１の電源とは独立した第２の電源から電力供給を受け、前記電源オンドメインの制御により前記第２の電源がオフされて前記第２の電源からの電力供給が停止される回路領域である電源オフドメインとを同一チップ上に備える半導体集積回路であって、
前記電源オンドメインは、
前記第１の電源がオンであり、かつ、前記第２の電源がオフであるときに前記電源オフドメインと前記電源オンドメインとの間で入出力される信号を遮断する第１の信号遮断部と、
前記第１の信号遮断部とは異なる第２の信号遮断部の遮断を有効または無効にする旨を示す第１の制御信号を出力する遮断制御部と
を備え、
前記電源オフドメインは、
前記遮断制御部により出力される遮断を有効にする旨を示す第１の制御信号に基づいて、前記電源オンドメインと前記電源オフドメインとの間で入出力される信号を遮断する第２の信号遮断部を備え、
前記遮断制御部は、前記第１の電源からの電力供給の停止を検出したときに、前記遮断を有効にする旨を示す第１の制御信号を出力する
半導体集積回路。
【請求項２】
前記第２の信号遮断部は、
前記遮断制御部が出力する第１の制御信号を保持し、保持する当該第１の制御信号に基づいて、前記電源オンドメインと前記電源オフドメインとの間で入出力される信号の遮断を有効または無効にする旨を示す第２の制御信号を出力する保持回路と、
前記保持回路が出力する当該第２の制御信号に従い、前記電源オンドメインから前記電源オフドメインに入出力される信号を遮断する信号遮断回路を備える
請求項１に記載の半導体集積回路。
【請求項３】
前記遮断制御部は、
前記遮断を有効にする旨を示す第１の制御信号をローレベルにして前記保持回路に出力し、
前記保持回路は、
遮断制御部が出力する前記ローレベルの第１の制御信号を保持し、保持する当該ローレベルの第１の制御信号に基づいて、前記電源オンドメインと前記電源オフドメインとの間で入出力される信号の遮断を無効にする旨を示す第２の制御信号をローレベル信号として前記信号遮断回路に出力し、
前記信号遮断回路は、前記保持回路が出力する当該ローレベル信号の第２の制御信号に従い、前記電源オンドメインと前記電源オフドメインとの間で入出力される信号を遮断する
請求項２に記載の半導体集積回路。
【請求項４】
前記保持回路は、
ＡＮＤ回路と、ラッチ回路と、ＲＳフリップフロップとから構成され、
前記ＡＮＤ回路は、前記遮断制御部が出力する第１の制御信号と前記ＲＳフリップフロップの出力信号とが入力され、前記ラッチ回路と前記信号遮断回路とに信号を出力し、
前記ラッチ回路は、前記ＡＮＤ回路の出力信号が入力され、前記ＲＳフリップフロップに信号を出力し、
前記ＲＳフリップフロップは、前記ラッチ回路の出力信号が入力され、前記ＡＮＤ回路に信号を出力し、
前記信号遮断回路は、前記ＡＮＤ回路から遮断を有効にする旨を示す第２の制御信号をローレベルにして入力された場合に信号の出力の代わりにローレベルの信号を出力する複数の論理ゲート回路から構成される
請求項３に記載の半導体集積回路。
【請求項５】
前記遮断制御部は、フリップフロップから構成され、
前記フリップフロップは、
前記第１の電源からの電源供給の停止を検出したときに、遮断を有効にする旨を示す第１制御信号としてローレベル信号を前記保持回路に出力する
請求項１〜４のいずれか１項に記載の半導体集積回路。
【請求項６】
前記遮断制御部は、さらに、
前記第１の電源からの電源供給の開始後に、遮断を無効にする旨を示す第１の制御信号を前記保持回路に出力し、
前記保持回路は、リセット信号が入力された場合、前記信号遮断回路における遮断を有効にする旨を示す第２の制御信号の保持を解除して、さらに、前記遮断制御部により出力された当該第１の制御信号を保持し、保持する当該第１の制御信号に基づいて、前記電源オンドメインと前記電源オフドメインとの間で入出力される信号の遮断を無効にする旨を示す第２の制御信号を前記信号遮断回路に出力し、
前記信号遮断回路は、前記保持回路により出力される当該第２の制御信号に従い、前記電源オンドメインと前記電源オフドメインとの間で入出力される信号の遮断を無効にする
請求項２〜４のいずれか１項に記載の半導体集積回路。
【請求項７】
前記遮断制御部は、さらに、
前記第１の電源からの電源供給の開始後に、遮断を無効にする旨を示す第１の制御信号を前記保持回路に出力し、
前記保持回路は、前記遮断制御部により出力される当該第１の制御信号に基づいて、前記信号遮断回路における遮断を無効にする旨を示す第２の制御信号を保持し、保持する当該第２の制御信号を前記信号遮断回路に出力し、
前記信号遮断回路は、前記保持回路により出力される当該第２の制御信号に従い、前記電源オンドメインと前記電源オフドメインとの間で入出力される信号の遮断を無効にする
請求項２〜４のいずれか１項に記載の半導体集積回路。
【請求項８】
前記遮断制御部は、フリップフロップから構成され、
前記フリップフロップは、
前記第１の電源から前記電源オンドメインに電源供給が開始されてパワーオンリセット信号が入力された場合、遮断を無効にする旨を示す第１制御信号をハイレベルにして前記保持回路に出力する
請求項６または７に記載の半導体集積回路。
【請求項９】
前記ＲＳフリップフロップは、リセット信号が入力された場合、前記ＡＮＤ回路に出力しているローレベルの信号を解除し、
前記遮断制御部は、前記第１の電源からの電源供給の開始後に、遮断を無効にする旨を示す第１の制御信号をハイレベルにして前記ＡＮＤ回路に出力し、
前記ＡＮＤ回路は、前記遮断制御部により出力される前記ハイレベルの第１制御信号が入力され、前記第２の信号遮断回路における遮断を無効にする旨を示す第２の制御信号をハイレベルにして保持する
請求項４に記載の半導体集積回路。
【請求項１０】
前記請求項１〜９のいずれか１項に記載の半導体集積回路を備える
テレビ。
【発明の詳細な説明】
【技術分野】
【０００１】
本発明は、半導体集積回路に関し、特に、第１の電源から電力供給を受ける回路領域である電源オンドメインと、第１の電源とは独立した第２の電源から電力供給を受け、電源オンドメインの制御により前記第２の電源がオフされて前記第２の電源からの電力供給が停止される回路領域である電源オフドメインとを同一チップ上に備える半導体集積回路に関する。
【背景技術】
【０００２】
従来、電源が常時オンされている回路領域である常時電源オンドメインと、必要に応じて電源がオフされる回路領域である電源オフドメインとを同一チップ上に備える半導体集積回路がある。このような半導体集積回路では、電源オフドメインの電源が遮断される際、遮断された電源オフドメインにおける不定信号が、動作状態にある常時電源オンドメインへ伝わってしまうことがある。
【０００３】
それに対し、特許文献１では、電源オフドメインの電源遮断の際の不定信号が動作状態にある常時電源オンドメインに伝わるのを防止する半導体集積回路が提案されている。
【０００４】
図７は、上記特許文献１における半導体集積回路を説明するための図である。この半導体集積回路は、常時電源オンドメインに相当する回路ブロック２及び回路ブロック３（以下、常時電源オン回路ブロックと記載。）、並びに、電源オフドメインに相当する回路ブロック１（以下、電源オフ回路ブロックと記載。）を備えている。
【０００５】
図７（ａ）に示すように、常時電源オン回路ブロック及び電源オフ回路ブロックともに電源がオンすなわち動作状態である場合には、回路ブロック３からの電源制御信号（ＳＷＣ）により、回路ブロック１に電源供給が行われる。このとき、回路ブロック２が備えるラッチ回路ＦＦ、ＮＡＮＤ回路Ｇ１及びＮＯＲ回路等の論理ゲート回路から構成される入力回路に回路ブロック１からの信号が入力され得る。
【０００６】
一方、図７（ｂ）に示すように、電源オフ回路ブロックが電源オフの非動作状態にされる場合には、回路ブロック３からの電源制御信号（ＳＷＣ）により、回路ブロック１の電源供給が遮断すなわち電源遮断が行われる。そして、回路ブロック３からの不定信号防止制御信号（ＩＮＣ）により、回路ブロック２が備える入力回路に回路ブロック１からの信号が入力されるのを禁止する。
【０００７】
このように電源遮断の制御をすることにより、上記特許文献１における半導体集積回路は、電源オフ回路ブロックの電源遮断の際の不定信号が動作状態にある常時電源オン回路ブロックに伝わるのを防止する。
【先行技術文献】
【特許文献】
【０００８】
【特許文献１】特開２００５−３１１６２２号公報
【発明の概要】
【発明が解決しようとする課題】
【０００９】
しかしながら、従来の半導体集積回路では、常時電源オン回路ブロックの電源が先に遮断される場合の考慮がなされていない。例えば、常時電源オン回路ブロックに電源を供給するＡＣコンセントが抜けるという想定外の状態が発生し、電源に接続されているコンデンサなどの影響により、常時電源オン回路ブロックの電源が電源オフ回路ブロックよりも先に落ちてしまった場合、常時電源オン回路ブロックが備える電源遮断の制御が不能になる。その結果、稼働中の電源オフ回路ブロックからのハイレベル（ＨＩＧＨ）信号が、先に電源の落ちた常時電源オン回路ブロックに入力されてしまい、異常な電圧が電源オン回路ブロックを構成するＭＯＳＦＥＴのゲートに加わり、回路の特性が変わってしまったり、電源が遮断された常時電源オン回路ブロックの不定信号が、動作状態にある電源オフ回路ブロックへ伝わってしまい電源オフ回路ブロックに悪影響を及ぼしてしまったりする。このように、常時電源オン回路ブロックの電源が電源オフ回路ブロックよりも先に落ちてしまった場合、半導体集積回路に悪影響を及ぼしてしまう。
【００１０】
なお、ここでいう悪影響とは、例えば以下のようなものである。１）電源が遮断された常時電源オン回路ブロックを構成するＭＯＳＦＥＴのゲートに異常な電圧が加わり、回路の特性が変わってしまう。その結果、所望の通常動作をしなくなる。２）電源が遮断された常時電源オン回路ブロックの不定信号が、稼働中の電源オフ回路ブロックに入力され、電源オフ回路ブロックを構成するＭＯＳＦＥＴ等に貫通電流が流れ回路の特性が変わってしまう。その結果、所望の通常動作をしなくなる。３）半導体集積回路を備える装置が制御しているＳＤカード等の外部不揮発性メモリへの書き込み等が正しく制御されずダメージを与えてしまう。その結果、メモリ内のデータを破壊してしまい復旧ができない。または、４）半導体集積回路がテレビ等に備えられている場合、電源オフの時に行う、視聴していたチャンネル情報や音量情報などの保存ができない。
【００１１】
本発明は、上記課題を解決するためになされたもので、常時電源オン回路領域の電源が先に遮断されても電源オフ回路領域に悪影響を及ぼすことを防止する半導体集積回路を提供することを目的とする。
【課題を解決するための手段】
【００１２】
上記目的を達成するために、本発明に係る半導体集積回路は、第１の電源から電力供給を受ける回路領域である電源オンドメインと、前記第１の電源とは独立した第２の電源から電力供給を受け、前記電源オンドメインの制御により前記第２の電源がオフされて前記第２の電源からの電力供給が停止される回路領域である電源オフドメインとを同一チップ上に備える半導体集積回路であって、前記電源オンドメインは、前記第１の電源がオンであり、かつ、前記第２の電源がオフであるときに前記電源オフドメインと前記電源オンドメインとの間で入出力される信号を遮断する第１の信号遮断部と、前記第１の信号遮断部とは異なる第２の信号遮断部の遮断を有効または無効にする旨を示す第１の制御信号を出力する遮断制御部とを備え、前記電源オフドメインは、前記遮断制御部により出力される遮断を有効にする旨を示す第１の制御信号に基づいて、前記電源オンドメインと前記電源オフドメインとの間で入出力される信号を遮断する第２の信号遮断部を備え、前記遮断制御部は、前記第１の電源からの電力供給の停止を検出したときに、前記遮断を有効にする旨を示す第１の制御信号を出力する。
【００１３】
この構成によれば、常時電源オン回路領域の電源が先に遮断されても電源オフ回路領域に悪影響を及ぼすことを防止する半導体集積回路を実現することができる。
【００１４】
具体的には、ＡＣコンセントが抜け第１の電源が落ちてしまい、電源が常時オンされている電源オンドメインに電力が供給されずに、電源オンドメインが電源オフドメインの電源が先に落ちてしまうなど想定外の状態が発生する場合がある。その場合でも、本構成によれば、遮断制御部及び第２の信号遮断部が機能して、電源オンドメインから電源オフドメインに不定信号が入力されること及び電源オンドメインに貫通電流が入力されることを防止することができる。
【００１５】
また、前記第２の信号遮断部は、前記遮断制御部が出力する第１の制御信号を保持し、保持する当該第１の制御信号に基づいて、前記電源オンドメインと前記電源オフドメインとの間で入出力される信号の遮断を有効または無効にする旨を示す第２の制御信号を出力する保持回路と、前記保持回路が出力する当該第２の制御信号に従い、前記電源オンドメインから前記電源オフドメインに入出力される信号を遮断する信号遮断回路を備えてもよい。
【００１６】
また、前記遮断制御部は、前記遮断を有効にする旨を示す第１の制御信号をローレベルにして前記保持回路に出力し、前記保持回路は、遮断制御部が出力する前記ローレベルの第１の制御信号を保持し、保持する当該ローレベルの第１の制御信号に基づいて、前記電源オンドメインと前記電源オフドメインとの間で入出力される信号の遮断を無効にする旨を示す第２の制御信号をローレベル信号として前記信号遮断回路に出力し、前記信号遮断回路は、前記保持回路が出力する当該ローレベル信号の第２の制御信号に従い、前記電源オンドメインと前記電源オフドメインとの間で入出力される信号を遮断してもよい。
【００１７】
また、前記保持回路は、ＡＮＤ回路と、ラッチ回路と、ＲＳフリップフロップとから構成され、前記ＡＮＤ回路は、前記遮断制御部が出力する第１の制御信号と前記ＲＳフリップフロップの出力信号とが入力され、前記ラッチ回路と前記遮断制御回路とに信号を出力し、前記ラッチ回路は、前記ＡＮＤ回路の出力信号が入力され、前記ＲＳフリップフロップに信号を出力し、前記ＲＳフリップフロップは、前記ラッチ回路の出力信号が入力され、前記ＡＮＤ回路に信号を出力し、前記信号遮断回路は、前記ＡＮＤ回路から遮断を有効にする旨を示す第２の制御信号をローレベルにして入力された場合に信号の出力の代わりにローレベルの信号を出力する複数の論理ゲート回路から構成されてもよい。
【００１８】
また、前記遮断制御部は、フリップフロップから構成され、前記フリップフロップは、前記第１の電源からの電源供給の停止を検出したときに、遮断を有効にする旨を示す第１制御信号としてローレベル信号を前記保持回路に出力してもよい。
【００１９】
また、前記遮断制御部は、さらに、前記第１の電源からの電源供給の開始後に、遮断を無効にする旨を示す第１の制御信号を前記保持回路に出力し、前記保持回路は、リセット信号が入力された場合、前記信号遮断回路における遮断を有効にする旨を示す第２の制御信号の保持を解除して、さらに、前記遮断制御部により出力された当該第１の制御信号を保持し、保持する当該第１の制御信号に基づいて、前記電源オンドメインと前記電源オフドメインとの間で入出力される信号の遮断を無効にする旨を示す第２の制御信号を前記信号遮断回路に出力し、前記信号遮断回路は、前記保持回路により出力される当該第２の制御信号に従い、前記電源オンドメインと前記電源オフドメインとの間で入出力される信号の遮断を無効にしてもよい。
【００２０】
なお、本発明は、装置として実現するだけでなく、このような装置が備える処理手段を備える集積回路として実現してもよい。
【発明の効果】
【００２１】
本発明によれば、常時電源オン回路領域の電源が先に遮断されても電源オフ回路領域に悪影響を及ぼすことを防止する半導体集積回路を実現することができる。
【図面の簡単な説明】
【００２２】
【図１】本発明における半導体集積回路の概略構成を示すブロック図である。
【図２】本発明における半導体集積回路の構成を示すブロック図である。
【図３】本発明における半導体集積回路の緊急遮断制御時の動作を説明するためのタイミング図である。
【図４】従来の半導体集積回路の動作を説明するためのタイミング図である。
【図５】本発明における半導体集積回路の緊急遮断制御解除時の動作を説明するためのタイミング図である。
【図６】本発明における半導体集積回路を備える装置例を示す図である。
【図７】従来の半導体集積回路を説明するための図である。
【発明を実施するための形態】
【００２３】
（実施の形態）
以下、本発明の実施形態について、図面を用いて説明する。
【００２４】
図１は、本発明における半導体集積回路の概略構成を示すブロック図である。
【００２５】
図１に示す半導体集積回路１０００は、常時電源ＯＮドメイン１００とスタンバイ時電源ＯＦＦドメイン２００と第１電源１０１と第２電源２０１とを備え、例えばＡＣコンセント１００１により第１電源１０１と第２電源２０１に電力が供給されている。
【００２６】
半導体集積回路１０００において、常時電源ＯＮドメイン１００とスタンバイ時電源ＯＦＦドメイン２００とは同一チップ上に構成されている。常時電源ＯＮドメイン１００とスタンバイ時電源ＯＦＦドメイン２００とには、それぞれ第１電源１０１と第２電源２０１により独立に電力が供給されている。
【００２７】
第１電源１０１は、供給する電圧を常に一定に保つように制御する回路であり、例えばレギュレータである。第１電源１０１は、ＡＣコンセント１００１と接続されており、第２電源２０１とは独立に、常時電源ＯＮドメイン１００に電力を供給する。
【００２８】
常時電源ＯＮドメイン１００は、電力が常時供給されている（以下、常時電源ＯＮと記載。）のを前提とした回路を備える領域であり、半導体集積回路１０００のチップ上に構成されている。また、常時電源ＯＮドメイン１００は、ＯＮドメイン回路１０と、遮断制御回路１１と、遮断制御回路１２とから構成されている。
【００２９】
ＯＮドメイン回路１０は、例えばスタンバイ時電源ＯＦＦドメイン２００の起動又はシャットダウン等の制御を含め常時電源ＯＮドメイン１００の主機能を実現する回路である。
【００３０】
遮断制御回路１１は、常時電源ＯＮドメイン１００とスタンバイ時電源ＯＦＦドメイン２００との間での信号を遮断制御回路１２からの制御信号に従って遮断する。
【００３１】
具体的には、遮断制御回路１１は、遮断制御回路１２から遮断を無効にする旨を示す遮断制御信号（ＳＨＵＴＣ）を受けている場合には、常時電源ＯＮドメイン１００からスタンバイ時電源ＯＦＦドメイン２００へ伝えられる信号が入力され、入力された信号をスタンバイ時電源ＯＦＦドメイン２００に出力することができる。また、このとき、遮断制御回路１１は、スタンバイ時電源ＯＦＦドメイン２００から常時電源ＯＮドメイン１００へ伝えられる信号が入力され、入力された信号をＯＮドメイン回路１０に出力することができる。
【００３２】
反対に、遮断制御回路１１は、遮断制御回路１２から遮断を有効にする旨を示す遮断制御信号（ＳＨＵＴＣ）を受けている場合には、ＯＮドメイン回路１０及びスタンバイ時電源ＯＦＦドメイン２００からの信号の入力を遮断するのと同時に、ＯＮドメイン回路１０及びスタンバイ時電源ＯＦＦドメイン２００への信号の出力も遮断する。
【００３３】
遮断制御回路１２は、遮断制御回路１１及びスタンバイ時電源ＯＦＦドメイン２００（緊急遮断制御回路２２）に遮断制御信号（ＳＨＵＴＣ）を出力する。そして、遮断制御回路１２は、遮断制御回路１１に遮断制御信号（ＳＨＵＴＣ）を出力することにより、遮断制御回路１１が信号を入力または信号を出力するのを禁止または許可をすることができる。なお、遮断制御回路１２が出力する遮断制御信号（ＳＨＵＴＣ）の値、すなわち、遮断を有効または無効にする旨を示す値は、常時電源ＯＮドメイン１００の稼働時には、ＯＮドメイン回路１０によって変更することができる。
【００３４】
具体的には、遮断制御回路１２は、遮断を有効にする旨を示す遮断制御信号（ＳＨＵＴＣ）を遮断制御回路１１に出力する場合に、遮断制御回路１１に常時電源ＯＮドメイン１００とスタンバイ時電源ＯＦＦドメイン２００との間での信号を遮断させる。それに対して、遮断制御回路１２が、遮断を無効にする旨を示す遮断制御信号（ＳＨＵＴＣ）を遮断制御回路１１に出力する場合に、遮断制御回路１１に、常時電源ＯＮドメイン１００とスタンバイ時電源ＯＦＦドメイン２００との間での信号の遮断を解除させる。
【００３５】
例えば、遮断制御回路１２は、常時電源ＯＮドメイン１００にパワーオフのリセット信号が入力されると遮断制御回路１１に遮断を有効にする旨を示す遮断制御信号（ＳＨＵＴＣ）を出力する。また、遮断制御回路１２は、例えば、常時電源ＯＮドメイン１００の起動後にＯＮドメイン回路１０から、遮断制御信号（ＳＨＵＴＣ）の値を変更できるので、遮断を無効にする旨を示す値が入力されると遮断制御回路１１に遮断を無効にする旨を示す遮断制御信号（ＳＨＵＴＣ）を出力し、遮断を有効にする旨を示す値が入力されると遮断制御回路１１に遮断を有効にする旨を示す遮断制御信号（ＳＨＵＴＣ）を出力する。
【００３６】
また、例えば、遮断制御回路１２は、常時電源ＯＮドメイン１００にリセット信号が入力されると緊急遮断制御回路２２に遮断を有効にする旨を示す遮断制御信号を出力する。なお、遮断制御回路１２は、常時電源ＯＮドメイン１００にリセット信号が入力されると、遮断制御回路１１へ遮断を無効にする旨を示す遮断制御信号（ＳＨＵＴＣ）を出力する。
【００３７】
第２電源２０１は、供給する電圧を常に一定に保つように制御する回路であり、例えばレギュレータである。第２電源２０１は、ＡＣコンセント１００１と接続されており、第１電源１０１とは独立に、スタンバイ時電源ＯＦＦドメイン２００に電力を供給する。また、第２電源２０１には、コンデンサ２０３が接続されている。コンデンサ２０３は、例えば、第２電源２０１の電力供給が瞬時停止した場合などに、第２電源２０１に替わって一定期間電力をスタンバイ時電源ＯＦＦドメイン２００へ供給する役割を担う。
【００３８】
スタンバイ時電源ＯＦＦドメイン２００は、スタンバイ時など必要に応じて電源がオフされる回路を備える領域であり、半導体集積回路１０００のチップ上に構成されている。また、スタンバイ時電源ＯＦＦドメイン２００は、ＯＦＦドメイン回路３０と、緊急遮断制御回路２１と、緊急遮断制御回路２２とから構成されている。
【００３９】
ＯＦＦドメイン回路３０は、例えば外部不揮発性メモリの読み書きなど半導体集積回路１０００が搭載された装置に対するスタンバイ時電源ＯＦＦドメイン２００の主機能を実現する回路である。
【００４０】
緊急遮断制御回路２１は、常時電源ＯＮドメイン１００とスタンバイ時電源ＯＦＦドメイン２００との間での信号を緊急遮断制御回路２２からの制御信号に従って緊急遮断する。
【００４１】
具体的には、緊急遮断制御回路２１は、緊急遮断制御回路２２から緊急遮断を無効にする旨を示す緊急遮断制御信号（ＥＳＨＵＴＣ）を受けている場合には、常時電源ＯＮドメイン１００からスタンバイ時電源ＯＦＦドメイン２００へ伝えられる信号が入力され、入力された信号をＯＦＦドメイン回路３０に出力することができる。また、このとき、緊急遮断制御回路２１は、ＯＦＦドメイン回路３０から常時電源ＯＮドメイン１００へ伝えられる信号が入力され、入力された信号をＯＮドメイン回路１０に出力することができる。
【００４２】
反対に、緊急遮断制御回路２１は、緊急遮断制御回路２２から緊急遮断を有効にする旨を示す緊急遮断制御信号（ＥＳＨＵＴＣ）を受けている場合には、ＯＦＦドメイン回路３０及び遮断制御回路１１からの信号の入力を遮断するのと同時に、ＯＦＦドメイン回路３０及び遮断制御回路１１への信号の出力も遮断する。
【００４３】
緊急遮断制御回路２２は、緊急遮断制御回路２１に緊急遮断制御信号（ＥＳＨＵＴＣ）を出力する。そして、緊急遮断制御回路２２は、緊急遮断制御回路２１に緊急遮断制御信号（ＥＳＨＵＴＣ）を出力することにより、緊急遮断制御回路２１が信号を入力及び出力するのを禁止または許可をすることができる。
【００４４】
具体的には、緊急遮断制御回路２２は、緊急遮断を有効にする旨を示す緊急遮断制御信号（ＥＳＨＵＴＣ）を緊急遮断制御回路２１に出力する場合に、緊急遮断制御回路２１に常時電源ＯＮドメイン１００とスタンバイ時電源ＯＦＦドメイン２００との間での信号を遮断させる。それに対して、緊急遮断制御回路２２が、緊急遮断制御回路２１に緊急遮断を無効にする旨を示す緊急遮断制御信号（ＥＳＨＵＴＣ）を出力する場合には、緊急遮断制御回路２１に、常時電源ＯＮドメイン１００とスタンバイ時電源ＯＦＦドメイン２００との間での信号の緊急遮断を解除させる。
【００４５】
例えば、緊急遮断制御回路２２は、遮断制御回路１２により遮断を有効にする旨を示す遮断制御信号（ＳＨＵＴＣ）が入力されると、緊急遮断制御回路２１に緊急遮断を有効にする旨を示す緊急遮断制御信号（ＥＳＨＵＴＣ）を出力する。また、緊急遮断制御回路２２は、例えば、常時電源ＯＮドメイン１００によりスタンバイ時電源ＯＦＦドメイン２００にリセット信号が入力され、かつ、遮断制御回路１２により遮断を無効にする旨を示す遮断制御信号（ＳＨＵＴＣ）が入力された場合には、緊急遮断制御回路２１に緊急遮断を無効にする旨を示す緊急遮断制御信号（ＥＳＨＵＴＣ）を出力する。
【００４６】
以上のようにして、半導体集積回路１０００は構成される。
【００４７】
図２は、本発明における半導体集積回路の回路構成を示すブロック図である。図２では、図１で示した半導体集積回路１０００を構成する回路例を示している。また、図１と同様の要素には同一の符号を付しており、詳細な説明は省略する。
【００４８】
半導体集積回路１０００において、スタンバイ時電源ＯＦＦドメイン２００に、リセット２３が備えられ、常時電源ＯＮドメイン１００には、リセット１３と、プッシュプル出力端子１４とオープンドレイン出力端子１５とが備えられている。また、半導体集積回路１０００は、オープンドレイン出力端子１５がハイ・インピーダンス（Ｈｉｚ）出力の場合に、リセット２３がハイレベル（ＨＩＧＨ）の信号を緊急遮断制御回路２２（ＲＳフリップフロップ２２４）に入力するプルアップ回路として抵抗２０２が備えられている。
【００４９】
リセット１３は、常時電源ＯＮドメイン１００にリセット信号が入ったことを検知し、または、常時電源ＯＮドメイン１００への電力供給が停まったことを検知してリセット入力としてローレベル（ＬＯＷ）の信号を遮断制御回路１２に出力する。
【００５０】
プッシュプル出力端子１４は、ＯＮドメイン回路１０の制御信号に従い、第２電源２０１制御信号（ＲＥＧＵＣ）を第２電源２０１に出力することで、第２電源２０１の電源オンまたは電源オフを行う。
【００５１】
オープンドレイン出力端子１５は、ＯＮドメイン回路１０の制御信号に従い、スタンバイ時電源ＯＦＦドメイン２００のリセット信号を、リセット２３に出力する。リセット２３は、そのローレベル（ＬＯＷ）の信号を緊急遮断制御回路２２に出力する。
【００５２】
遮断制御回路１１は、ＡＮＤ回路１１１、ＡＮＤ回路１１２及びＡＮＤ回路１１３から構成される第１の出力回路と、ＯＲ回路１１４、ＡＮＤ回路１１５及びＡＮＤ回路１１６から構成される第１の入力回路とを備える。
【００５３】
遮断制御回路１１では、第１の入力回路及び第１の出力回路の入力端子に遮断制御回路１２から遮断を無効にする旨を示す遮断制御信号（ＳＨＵＴＣ）としてハイレベル（ＨＩＧＨ）の信号を受けている場合、ＯＮドメイン回路１０から出力される信号が第１の出力回路を介して、緊急遮断制御回路２１（第２の入力回路）に入力される。またこのとき、遮断制御回路１１では、ＯＦＦドメイン回路２０から出力される信号が、第２の出力回路を介して、第１の入力回路に入力される。
【００５４】
遮断制御回路１２は、フリップフロップ１２１から構成される。遮断制御回路１２では、リセット１３にリセット入力としてローレベル（ＬＯＷ）の信号が入力された場合には、フリップフロップ１２１は、遮断を有効にする旨を示す遮断制御信号（ＳＨＵＴＣ）としてローレベル（ＬＯＷ）の信号を、遮断制御回路１１及び緊急遮断制御回路２２に出力する。また、フリップフロップ１２１は、遮断を無効にする操作がなされた場合またはリセット１３にリセット信号が入力されていない場合には、遮断を無効にする旨を示す遮断制御信号としてハイレベル（ＨＩＧＨ）の信号を、遮断制御回路１１及び緊急遮断制御回路２２に出力する。
【００５５】
緊急遮断制御回路２１は、ＡＮＤ回路２１１、ＡＮＤ回路２１２及びＯＲ回路２１３から構成される第２の入力回路と、ＡＮＤ回路２１４、ＡＮＤ回路２１５及びＡＮＤ回路２１６から構成される第２の出力回路とを備える。
【００５６】
緊急遮断制御回路２１では、第２の入力回路及び第２の出力回路の入力端子に、緊急遮断制御回路２２から緊急遮断を無効にする旨を示す緊急遮断制御信号（ＥＳＨＵＴＣ）としてハイレベル（ＨＩＧＨ）の信号を受けている場合に、ＯＮドメイン回路１０から出力される信号がＯＮドメイン出力回路を介してＯＦＦドメイン入力回路に入力される。また、このとき、緊急遮断制御回路２１では、ＯＦＦドメイン回路２０から出力される信号がＯＮドメイン出力回路を介して、緊急遮断制御回路２１の入力回路に入力される。
【００５７】
緊急遮断制御回路２２は、ＡＮＤ回路２２１、ラッチ回路２２２及び２２３、ＲＳフリップフロップ２２４とから構成される。緊急遮断制御回路２２では、ＡＮＤ回路２２１は、遮断制御回路１２から遮断を有効にする旨を示す遮断制御信号（ＳＨＵＴＣ）としてローレベル（ＬＯＷ）の信号を受けた場合、緊急遮断を有効にする旨を示す緊急遮断制御信号（ＥＳＨＵＴＣ）としてローレベル（ＬＯＷ）の信号を緊急遮断制御回路２１の第２の入力回路及び第２の出力回路の入力端子側に出力する。
【００５８】
なお、ラッチ回路２２２及び２２３では、ＡＮＤ回路２２１から出力される信号を２段階ラッチすることで、ＡＮＤ回路２２１から出力される信号の揺らぎを吸収する。また、ＲＳフリップフロップ２２４は、ＡＮＤ回路２２１にハイレベル（ＨＩＧＨ）の信号またはローレベル（ＬＯＷ）の信号を受けた場合の信号を保持し、ＡＮＤ回路２２１にハイレベル（ＨＩＧＨ）の信号またはローレベル（ＬＯＷ）の信号を出力する。
【００５９】
例えば、ＲＳフリップフロップ２２４は、ＡＮＤ回路２２１にローレベル（ＬＯＷ）の信号を受けた場合には、ＡＮＤ回路２２１にローレベル（ＬＯＷ）の信号を出力する。それにより、ＡＮＤ回路２２１は、緊急遮断を有効にする旨を示す緊急遮断制御信号（ＥＳＨＵＴＣ）としてローレベル（ＬＯＷ）の信号を緊急遮断制御回路２１の第２の入力回路及び第２の出力回路の入力端子側に出力することができる。
【００６０】
また、ＲＳフリップフロップ２２４は、リセット２３によりローレベル（ＬＯＷ）の信号が入力されて、緊急遮断を有効にする旨を示す緊急遮断制御信号（ＥＳＨＵＴＣ）としてのローレベル（ＬＯＷ）の信号を出力するのを解除する。そのため、ＲＳフリップフロップ２２４は、リセット２３によりローレベル（ＬＯＷ）の信号が入力されて、ローレベル（ＬＯＷ）の信号を出力するのを解除し、さらに、ＡＮＤ回路２２１が遮断制御回路１２からハイレベル（ＨＩＧＨ）の信号を受けるまで、ＡＮＤ回路２２１にローレベル（ＬＯＷ）の信号を出力する。
【００６１】
したがって、ＡＮＤ回路２２１は、ＡＮＤ回路２２１が遮断制御回路１２から遮断を無効にする旨を示す遮断制御信号（ＳＨＵＴＣ）として新たにハイレベル（ＨＩＧＨ）の信号を受けるまで、第２の入力回路及び第２の出力回路の入力端子側に緊急遮断を有効にする旨を示す緊急遮断制御信号（ＥＳＨＵＴＣ）としてのローレベル（ＬＯＷ）の信号を出力することができる。
【００６２】
以上のようにして、半導体集積回路１０００の回路は構成される。
【００６３】
このように、半導体集積回路１０００では、常時電源ＯＮドメイン１００が遮断制御回路１１及び１２を備えるだけでなく、スタンバイ時電源ＯＦＦドメイン２００も緊急遮断制御回路２１及び２２を備える。例えばＡＣコンセント１００１が抜け、常時電源ＯＮドメイン１００に対して電力が供給されずに、常時電源ＯＮドメイン１００の電源が先に落ちてしまうなどの想定外の状態が発生する。その場合でも、半導体集積回路１０００では、緊急遮断制御回路２１及び２２が機能して、常時電源ＯＮドメイン１００から不定信号が入力されること及び常時電源ＯＮドメイン１００に貫通電流が入力されることを遮断することができる。それにより、常時電源オン回路領域の電源が先に遮断されても電源オフ回路領域に悪影響を及ぼすことを防止する半導体集積回路を実現することができる。
【００６４】
次に、上記のように構成される半導体集積回路１０００の動作について説明する。
【００６５】
図３は、本発明における半導体集積回路の緊急遮断制御時の動作を説明するためのタイミング図である。以下図３を用いて、例えば、ＡＣコンセント１００１が抜け、常時電源ＯＮドメイン１００に対して電力が供給されずに、常時電源ＯＮドメイン１００の電源が先に落ちてしまう場合の動きを説明する。
【００６６】
まず、半導体集積回路１０００に正常に電力が供給されているとする。すなわち、常時電源ＯＮドメイン１００とスタンバイ時電源ＯＦＦドメイン２００とにはそれぞれ第１電源１０１と第２電源２０１とから電力が供給されている。
【００６７】
このとき、常時電源ＯＮドメイン１００には、パワーオフを示すリセット信号が入力されていないので、常時電源ＯＮドメイン１００リセットは、ハイレベル（ＨＩＧＨ）を示している。
【００６８】
また、常時電源ＯＮドメイン１００は、スタンバイ時電源ＯＦＦドメイン２００の電源を落とす制御をしていない。そのため、第２電源２０１制御信号ＲＥＧＵＣは、ハイレベル（ＨＩＧＨ）を示している。具体的には、プッシュプル出力端子１４は、ＯＮドメイン回路１０の制御信号に従い、第２電源２０１の電源オンを維持する旨を示すよう第２電源２０１制御信号（ＲＥＧＵＣ）をハイレベル（ＨＩＧＨ）にして第２電源２０１に出力している。
【００６９】
また、常時電源ＯＮドメイン１００には、パワーオフを示すリセット信号が入力されていないので、遮断制御回路１２は、遮断を無効にする旨を示すよう遮断制御信号（ＳＨＵＴＣ）をハイレベル（ＨＩＧＨ）にして遮断制御回路１１及び緊急遮断制御回路２１に出力している。すなわち、遮断制御信号ＳＨＵＴＣは、ハイレベル（ＨＩＧＨ）を示す。
【００７０】
また、第１の出力回路に入力される信号のレベルを示すＯＮ→ＯＦＦ第１境界信号と第１の出力回路より出力される信号を示すＯＮ→ＯＦＦ第２境界信号とは、ハイレベル（ＨＩＧＨ）またはローレベル（ＬＯＷ）であることを示している。
【００７１】
これは、遮断制御回路１２では、遮断制御回路１１により遮断を無効にする旨を示すハイレベル（ＨＩＧＨ）の遮断制御信号（ＳＨＵＴＣ）が入力され、ＯＮドメイン回路１０から出力された信号（ＨＩＧＨ／ＬＯＷいずれか）が遮断制御回路１２の第１の出力回路に入力され、第１の出力回路より出力されている状態であるからである。
【００７２】
また、緊急遮断制御信号（ＥＳＨＵＴＣ）は、ハイレベル（ＨＩＧＨ）を示している。これは、スタンバイ時電源ＯＦＦドメイン２００は電源がオンされており通常通り稼働しているので、緊急遮断制御回路２２は、緊急遮断を無効にする旨を示すハイレベル（ＨＩＧＨ）の緊急遮断制御信号（ＥＳＨＵＴＣ）を緊急遮断制御回路２１に出力しているからである。
【００７３】
また、第２の出力回路に入力される信号のレベルを示すＯＦＦ→ＯＮ第１境界信号と第２の出力回路より出力される信号を示すＯＮ→ＯＦＦ第２境界信号とは、ハイレベル（ＨＩＧＨ）またはローレベル（ＬＯＷ）であることを示している。これは、スタンバイ時電源ＯＦＦドメイン２００は通常通り稼働しているので、緊急遮断制御回路２２には、緊急遮断制御回路２１により緊急遮断を無効にする旨を示すハイレベル（ＨＩＧＨ）の緊急遮断制御信号（ＥＳＨＵＴＣ）が入力されているからである。そのため、ＯＦＦドメイン回路３０から出力された信号（ＨＩＧＨ／ＬＯＷいずれか）は、緊急遮断制御回路２２の第２の出力回路に入力され、第２の出力回路より出力されている。
【００７４】
次に、ＡＣコンセント１００１抜けが起き、第２電源２０１に接続されているコンデンサ２０３などの影響により、スタンバイ時電源ＯＦＦドメイン２００の電源よりも先に常時電源ＯＮドメイン１００の電源が落ちてしまったとする。
【００７５】
この時、常時電源ＯＮドメイン１００リセットは、常時電源ＯＮドメイン１００にリセット信号が入力され、ローレベル（ＬＯＷ）に設定される。これは、リセット１３は、常時電源ＯＮドメイン１００への電力供給が停まったことを検知してローレベル（ＬＯＷ）のパワーオフリセット信号を遮断制御回路１２に出力することを示している。
【００７６】
そして、緊急遮断制御信号（ＥＳＨＵＴＣ）は、ハイレベル（ＨＩＧＨ）からローレベル（ＬＯＷ）になる。具体的には、遮断制御回路１２では、フリップフロップ１２１でローレベル（ＬＯＷ）に反転したパワーオフリセット信号を受け取り、フリップフロップ１２１により遮断を有効にする旨を示すローレベル（ＬＯＷ）の遮断制御信号（ＳＨＵＴＣ）を、遮断制御回路１１及び緊急遮断制御回路２２に出力する。そして、緊急遮断制御回路２２は、遮断制御回路１２からローレベル（ＬＯＷ）の遮断制御信号（ＳＨＵＴＣ）を受け、緊急遮断を有効にする旨を示すローレベル（ＬＯＷ）の緊急遮断制御信号（ＥＳＨＵＴＣ）を、緊急遮断制御回路２１に出力する。
【００７７】
なお、第２の出力回路より出力される信号を示すＯＮ→ＯＦＦ第２境界信号は、ローレベル（ＬＯＷ）となる。これは、緊急遮断制御回路２１は、常時電源ＯＮドメイン１００の電源が落ちたために、緊急遮断制御回路２２より緊急遮断を有効にする旨を示すローレベル（ＬＯＷ）の緊急遮断制御信号（ＥＳＨＵＴＣ）を受け、第２の出力回路からの信号を遮断するからである。そして、この緊急遮断制御により、常時電源ＯＮドメイン１００のＭＯＳＦＥＴのゲートに異常な電圧が加わることを防止することができる。
【００７８】
次に、スタンバイ時電源ＯＦＦドメイン２００の電源よりも先に常時電源ＯＮドメイン１００の電源が完全に落ちてしまったとする。
【００７９】
第２電源２０１制御信号ＲＥＧＵＣと、遮断制御信号ＳＨＵＴＣと、ＯＮ→ＯＦＦ第１境界信号と、ＯＮ→ＯＦＦ第２境界信号とは、図３に示すように、ハイ・インピーダンス（Ｈｉｚ）状態となる。これは、スタンバイ時電源ＯＦＦドメイン２００の電源よりも先に常時電源ＯＮドメイン１００の電源が先に落ちてしまったことにより、制御不能になったプッシュプル出力端子１４と遮断制御回路１２と第１の出力回路とからハイレベル（ＨＩＧＨ）でもなくローレベル（ＬＯＷ）でもないハイ・インピーダンス（Ｈｉｚ）を示す信号が出力されていることを示している。
【００８０】
なお、遮断制御信号ＳＨＵＴＣが、ローレベル（ＬＯＷ）を示した後に、ハイ・インピーダンス（Ｈｉｚ）の状態になっている。これは、上述した常時電源ＯＮドメイン１００の電源が落ち、電力が供給されないため制御不能になり、ハイ・インピーダンス（Ｈｉｚ）を出力する状態になっていることを示している。
【００８１】
以上のように、本実施の形態における半導体集積回路１０００では、例えばＡＣコンセント１００１が抜け、常時電源ＯＮドメイン１００の電源が先に落ちてしまうなどの想定外の状態が発生する場合でも、緊急遮断制御回路２１及び２２が機能して、緊急遮断制御を行うことができる。それにより、常時電源ＯＮドメイン１００から不定信号が入力されること及び常時電源ＯＮドメイン１００に貫通電流が入力されることを遮断することができる。
【００８２】
ここで、本実施の形態における半導体集積回路１０００の動作との比較のために、従来の半導体集積回路の動作を説明する。
【００８３】
図４は、従来の半導体集積回路の緊急遮断制御時の動作を説明するためのタイミング図である。
【００８４】
従来の半導体集積回路では、少なくとも緊急遮断制御回路２１及び緊急遮断制御回路２２は備えていない。そのため、常時電源ＯＮドメイン１００に相当する常時電源オン回路ブロックの電源が、スタンバイ時電源ＯＦＦドメイン２００に相当する電源オフ回路ブロックより先に落ちてしまった場合には、常時電源オン回路ブロックを構成する回路からの不定信号（Ｈｉｚ）を遮断できないだけでなく、常時電源オン回路ブロックのＭＯＳＦＥＴのゲートに異常な電圧が加わることを防止できない。
【００８５】
なお、図４において、第１境界信号Ａは、従来の半導体集積回路が備える常時電源オン回路ブロックから遮断回路に入力される信号を示している。第２境界信号Ｂは、その遮断回路から電源オフ回路ブロックに出力される信号を示している。また、第３境界信号Ｃは、電源オフ回路ブロックから常時電源オン回路ブロックへ入力される信号を示している。
【００８６】
図５は、本発明における半導体集積回路の緊急遮断制御解除時の動作を説明するためのタイミング図である。
【００８７】
図５では、上述した緊急遮断制御が行われ、半導体集積回路１０００の電源が完全に落ちた後に、常時電源ＯＮドメイン１００及びスタンバイ時電源ＯＦＦドメイン２００をあらためて起動する場合の動きについて説明する。
【００８８】
まず、緊急遮断制御が行われた後に、半導体集積回路１０００に電力が供給されていない。すなわち、常時電源ＯＮドメイン１００とスタンバイ時電源ＯＦＦドメイン２００とに電力が供給されず、共に電源オフの状態であるとする。
【００８９】
このとき、常時電源ＯＮドメイン１００リセットは、ローレベル（ＬＯＷ）を示している。これは、上述の緊急遮断制御が行われてから遮断制御回路１１の電源が落ちたからであり、パワーオンリセット信号が入力されていない状態を示している。
【００９０】
次に、スタンバイ時電源ＯＦＦドメイン２００より先に常時電源ＯＮドメイン１００の電源をオンにする。すなわち、第１電源１０１に常時電源ＯＮドメイン１００への電力の供給を開始させる。
【００９１】
このとき、常時電源ＯＮドメイン１００リセットは、第１電源１０１の電力の供給が安定したことを示すローレベル（ＬＯＷ）のパワーオンリセット信号が入力される。
【００９２】
また、このとき、スタンバイ時電源ＯＦＦドメイン２００は第２電源２０１より電力が供給されていない電源オフの状態である。よって、第２電源２０１制御信号ＲＥＧＵＣは、ローレベル（ＬＯＷ）を示しており、リセット２３信号と、ＲＳフリップフロップ２２４信号と、緊急遮断制御信号ＥＳＨＵＴと、ＯＦＦ→ＯＮ第１境界信号と、ＯＦＦ→ＯＮ第２境界信号は、ハイ・インピーダンス（Ｈｉｚ）を示している。
【００９３】
また、フリップフロップ１２１は、遮断が有効である旨を示すローレベル（ＬＯＷ）の信号である。すなわち、遮断制御回路１２は、遮断を有効にする旨を示すローレベル（ＬＯＷ）の遮断制御信号（ＳＨＵＴＣ）を遮断制御回路１２及び緊急遮断制御回路２１に出力している。
【００９４】
また、第１の出力回路に入力される信号を示すＯＮ→ＯＦＦ第１境界信号は、ハイレベル（ＨＩＧＨ）またはローレベル（ＬＯＷ）であることを示している。これは、常時電源ＯＮドメイン１００が起動しており、ＯＮドメイン回路１０からの信号を受け取ることができるからである。
【００９５】
しかし、フリップフロップ１２１は、遮断が有効である旨を示すローレベル（ＬＯＷ）の信号である。すなわち、遮断制御回路１２は、遮断を有効にする旨を示すローレベル（ＬＯＷ）の遮断制御信号（ＳＨＵＴＣ）を遮断制御回路１２及び緊急遮断制御回路２１に出力している。
【００９６】
したがって、遮断制御回路１１は、ＯＮドメイン回路１０からの信号を緊急遮断制御回路２１に出力できないので、第１の出力回路より出力される信号を示すＯＮ→ＯＦＦ第２境界信号は、ローレベル（ＬＯＷ）を示している。
【００９７】
次に、スタンバイ時電源ＯＦＦドメイン２００の電源をオンにする。すなわち、プッシュプル出力端子１４は、ＯＮドメイン回路１０の制御信号に従い、ハイレベル（ＨＩＧＨ）の第２電源２０１制御信号（ＲＥＧＵＣ）を第２電源２０１に出力し、第２電源２０１の電力をスタンバイ時電源ＯＦＦドメイン２００に供給させる。
【００９８】
そして、スタンバイ時電源ＯＦＦドメイン２００の電源をオンにした後、遮断制御回路１２及び緊急遮断制御回路２２の遮断を解除する。以下、具体的に説明する。
【００９９】
まず、オープンドレイン出力端子１５より、ローレベル（ＬＯＷ）を出力する。すると、リセット２３は、ローレベル（ＬＯＷ）の信号を、ＲＳフリップフロップ２２４に出力する。
【０１００】
次に、ＲＳフリップフロップ２２４は、リセット２３によりローレベル（ＬＯＷ）のセット信号が入力されて、保持している遮断が有効である旨を示すローレベル（ＬＯＷ）の信号を解除する。すなわち、オープンドレイン出力端子１５が抵抗２０２でハイレベル（ＨＩＧＨ）のプルアップされている信号を、ローレベル（ＬＯＷ）にすることにより、ＲＳフリップフロップ２２４は、ローレベル（ＬＯＷ）の信号が入力されて、保持しているローレベル（ＬＯＷ）の信号を解除する。
【０１０１】
また、フリップフロップ１２１は、ＲＳフリップフロップ２２４の保持を解除する操作とは別に、遮断を無効にする操作がなされる。すなわち、フリップフロップ１２１は、遮断を有効にする旨を示すローレベル（ＬＯＷ）から遮断を無効にする旨を示すハイレベル（ＨＩＧＨ）の遮断制御信号（ＳＨＵＴＣ）を出力するように切り換えられる。その結果、遮断制御回路１２は、遮断を無効にする旨を示すハイレベル（ＨＩＧＨ）の遮断制御信号（ＳＨＵＴＣ）としてハイレベル（ＨＩＧＨ）の遮断制御回路１１及び緊急遮断制御回路２２に出力する。
【０１０２】
以上のようにして、再度、常時電源ＯＮドメイン１００に電源が投入された場合、スタンバイ時電源ＯＦＦドメイン２００のリセットを入力し、リセット入力中に緊急遮断制御を解除する。
【０１０３】
なお、このスタンバイ時電源ＯＦＦドメイン２００のリセットは、常時電源ＯＮドメイン１００から制御可能である。
【０１０４】
以上、本発明によれば、常時電源オン回路領域の電源が先に遮断されても電源オフ回路領域に悪影響を及ぼすことを防止する半導体集積回路を実現できる。
【０１０５】
例えばＡＣコンセント１００１が抜けて、常時電源ＯＮドメイン１００の電源が先に落ちてしまうなど想定外の状態が発生する緊急時の場合でも、遮断制御回路１２は、常時ＯＮドメインの電源落ちを検知してリセットをかけることにより、遮断制御信号をローレベル（ＬＯＷ）に設定する。そして、緊急遮断制御回路２２は、遮断制御信号を受けて、ローレベル（ＬＯＷ）に設定された緊急遮断制御信号を緊急遮断制御回路２１に出力することで、常時電源ＯＮドメイン１００から不定信号が入力されること及び常時電源ＯＮドメイン１００のＭＯＳＦＥＴのゲートに異常な電圧が入力されることを防止する。
【０１０６】
また、本発明によれば、スタンバイ時電源ＯＦＦドメインのリセットがネゲートの時に、遮断制御信号がローレベル（ＬＯＷ）に設定されている場合、緊急遮断制御回路２２で、スタンバイ時電源ＯＦＦドメインの遮断状態をラッチする。
【０１０７】
なお、ラッチされた状態は、上述したように解除される以外に、外部リセットより解除されるとしてもよい。
【０１０８】
以上、本発明の半導体集積回路について、実施の形態に基づいて説明したが、本発明は、この実施の形態に限定されるものではない。本発明の趣旨を逸脱しない限り、当業者が思いつく各種変形を施したものや、実施の形態における構成要素を組み合わせて構築される形態も、本発明の範囲内に含まれる。
【産業上の利用可能性】
【０１０９】
本発明は、半導体集積回路に利用でき、特に、図６に示すテレビ２０００などに搭載される半導体集積回路に利用することができる。
【符号の説明】
【０１１０】
１、２、３    回路ブロック
１０    ＯＮドメイン回路
１１、１２    遮断制御回路
１３、２３    リセット
１４    プッシュプル出力端子
１５    オープンドレイン出力端子
２０    ＯＦＦドメイン回路
２１、２２    緊急遮断制御回路
３０    ＯＦＦドメイン回路
１００    常時電源ＯＮドメイン
１０１    第１電源
１１１、１１２、１１３、１１５、１１６、２１１、２１２、２１４、２１５、２１６、２２１    ＡＮＤ回路
１１４、２１３    ＯＲ回路
１２１    フリップフロップ
２００    スタンバイ時電源ＯＦＦドメイン
２０１    第２電源
２０２    抵抗
２０３    コンデンサ
２２２    ラッチ回路
２２４    ＲＳフリップフロップ
１０００    半導体集積回路
１００１    ＡＣコンセント
【図１】
2010283544.tif 000003
【図２】
2010283544.tif 000004
【図３】
2010283544.tif 000005
【図４】
2010283544.tif 000006
【図５】
2010283544.tif 000007
【図６】
2010283544.tif 000008
【図７】
2010283544.tif 000009